(57)【特許請求の範囲】
【請求項１】
４つの外壁を有する平面視略矩形の建物本体の平面視略中央部から各外壁側に向けてそれぞれ延び、かつ１階から最上階までの各階を光および／または空気が通り抜け可能に連通させる４つの空間が設けられ、
これら空間が面する外壁に窓がそれぞれ設けられ、
これら空間のそれぞれに部屋が隣接し、
複数の前記空間のうちの少なくとも一つの前記空間に階段が設けられ、残りの前記空間のうちの少なくとも一つの前記空間における上下階の境界部に、上下に透光性および／または通風性を有する第１床部が設けられ、
前記建物本体の平面視略中央部における上下階の境界部に、前記第１床部に隣接する第２床部が設けられ、
前記建物本体に、複数の前記空間とこれらに隣接する前記部屋とを仕切る壁が複数設けられ、
前記第２床部は、複数の前記壁と連結されていることを特徴とする建物。
【請求項２】
請求項１に記載の建物において、
複数の前記空間のうち、少なくとも一つの空間には、前記階段や第１床部が設けられていないことを特徴とする建物。
【請求項３】
請求項１または２に記載の建物において、
前記第２床部は、前記第１床部と面一に設けられていることを特徴とする建物。
【請求項４】
請求項１〜３のいずれか一項に記載の建物において、
前記建物本体の屋根には、天窓が前記空間と連通して設けられていることを特徴とする建物。
【請求項５】
請求項１〜４のいずれか一項に記載の建物において、
前記第１床部は廊下の床部を構成しており、
この廊下と、当該廊下に隣接する部屋との間を仕切る壁に戸が設けられていることを特徴とする建物。
【発明の詳細な説明】
【技術分野】
【０００１】
本発明は、採光や通風が良好な建物に関する。
【背景技術】
【０００２】
採光や通風が良好な建物の一例として特許文献１に記載のものが知られている。
この建物は、北側に上階の床が設けられるとともに、南側に上階の床よりも低く下階の床よりも高いスキップ床が設けられ、このスキップ床上の南側に面している外壁に採光窓が前記スキップ床よりも高い位置に設けられ、建物の南北中央部に下階から上階に吹き抜ける吹き抜けが設けられ、この吹き抜けを介して前記スキップ床上の部屋と北側の下階の床上の部屋とが連通しているものである。
このような建物では、スキップ床よりも高い位置に設けられた採光窓から差し込んだ外光が吹き抜けを通って下階の北側の部屋に差し込み、建物内の採光を良好にすることができる。
【先行技術文献】
【特許文献】
【０００３】
【特許文献１】特開２００５−３５０８８０号公報
【発明の概要】
【発明が解決しようとする課題】
【０００４】
ところで、上記の建物では、建物の南北中央部に下階から上階に吹き抜ける吹き抜けが設けられているので、この吹抜けに面している北側の部屋の採光や、吹抜けに面している部屋の通風を確保できるが、建物内部全体の採光や通風を確保するのは困難であった。
【０００５】
本発明は上記事情に鑑みてなされたもので、建物内部全体の採光や通風を容易に確保することができる建物を提供することを課題としている。
【課題を解決するための手段】
【０００６】
上記課題を解決するために、請求項１に記載の発明は、例えば図１〜図１１に示すように、４つの外壁１ａ〜１ｄを有する平面視略矩形の建物本体１の平面視略中央部から各外壁１ａ〜１ｄ側に向けてそれぞれ延び、かつ１階から最上階までの各階を光および／または空気が通り抜け可能に連通させる４つの空間２〜５が設けられ、
これら空間２〜５に面する外壁１ａ〜１ｄに窓７ａ，７ｂ，１２ａ，１２ｂ，１４ａ，１４ｂ，１７ａ，１７ｂ，１７ｃがそれぞれ設けられ、
これら空間２〜５のそれぞれに部屋２４，２６，３２，３４が隣接し、
複数の前記空間２〜５のうちの少なくとも一つの前記空間５に階段２０が設けられ、残りの前記空間２〜４のうちの少なくとも一つの前記空間２，３における上下階の境界部に、上下に透光性および／または通風性を有する第１床部６，１１が設けられ、
前記建物本体１の平面視略中央部における上下階の境界部に、前記第１床部６，１１に隣接する第２床部１０が設けられ、
前記建物本体１に、複数の前記空間２〜５とこれらに隣接する前記部屋２４，２６，３２，３４とを仕切る壁が複数設けられ、
前記第２床部１０は、複数の前記壁と連結されていることを特徴とする。
【０００７】
請求項１に記載の発明によれば、空間２〜５に面する外壁に設けられた窓から空間２〜５に入った風（空気）や光は、第１床部６，１１や階段２０を通って上下に行き渡るとともに横方向にも行き渡る。したがって、光や空気を上下階に亙って、かつ、建物本体１の中央部から外壁１ａ〜１ｄに至るまで行き渡らせることができるので、建物内部全体の採光や通風を容易に確保することができる。
また、建物本体１の平面視略中央部から外壁１ａ〜１ｄ側に向けて延びる空間２〜５が複数あるが、建物本体１の平面視略中央部に第２床部１０があるので、建物本体１の構造的安定性が高まる。
【０００８】
請求項２に記載の発明は、請求項１に記載の建物において、
複数の前記空間２〜５のうち、少なくとも一つの空間４には、前記階段２０や第１床部６，１１が設けられていないことを特徴とする
【０００９】
請求項２に記載の発明によれば、階段２０や第１床部６，１１がない空間４によって、採光や通風をより確実に確保できる。
【００１０】
請求項３に記載の発明は、請求項１または２に記載の建物において、
前記第２床部１０は、前記第１床部６，１１と面一に設けられていることを特徴とする。
【００１２】
請求項４に記載の発明は、請求項１〜３のいずれか一項に記載の建物において、
前記建物本体１の屋根８ａには、天窓９，１３，１８が前記空間２，３，５と連通して設けられていることを特徴とする。
【００１３】
請求項４に記載の発明によれば、窓１４ａ，１４ｂ，１７ａ，１７ｂ，１７ｃから空間４，５に入った風（空気）を天窓９，１３，１８から抜くことができるので、建物本体１内の空気の流通性が良好となる。また、天窓９，１３，１８から入ってきた光を空間２〜５に導入することができるので、建物本体１内の採光性がさらに良好となる。
【００１４】
請求項５に記載の発明は、請求項１〜４のいずれか一項に記載の建物において、
前記第１床部６，１１は廊下の床部を構成しており、
この廊下と、当該廊下に隣接する部屋３２，３４との間を仕切る壁に戸３２ａ，３４ａが設けられていることを特徴とする。
【００１５】
請求項５に記載の発明によれば、空間２〜５に面する外壁１ａ〜１ｄに設けられた窓から空間２〜５に入った風（空気）や光を、戸３２ａ，３４ａを開くことによって、廊下に隣接する部屋３２，３４に導入することができる。
【発明の効果】
【００１６】
本発明によれば、空間に面する外壁に設けられた窓から空間に入った風（空気）や光は、第１床部や階段を通って上下に行き渡るとともに横方向にも行き渡る。したがって、光や空気を上下階に亙って、かつ、建物本体の中央部から外壁に至るまで行き渡らせることができるので、建物内部全体の採光や通風を容易に確保することができる。
【図面の簡単な説明】
【００１７】
【図１】本発明に係る建物の一例を示すもので、建物の１階の平面図である。
【図２】同、建物の２階の平面図である。
【図３】同、建物の２階のスキップフロアの平面図である。
【図４】同、建物の正面図である。
【図５】同、建物の背面図である。
【図６】同、建物の左側面図である。
【図７】同、建物の右側面図である。
【図８】同、図４におけるＡ−Ａ線断面図である。
【図９】同、図４におけるＢ−Ｂ線断面図である。
【図１０】同、図４におけるＣ−Ｃ線断面図である。
【図１１】同、建物を模式的に示した図である。
【発明を実施するための形態】
【００１８】
以下、図面を参照して本発明の実施の形態について説明する。
本実施の形態の建物は、二階建ての住宅であり、図１〜図３に示すように、建物本体１は平面視略矩形状に形成されている。建物本体１には、その平面視略中央部から東西南北の四つの外壁１ａ〜１ｄ側に向けてそれぞれ延び、かつ、１階から２階まで吹き抜ける４つの吹抜け部２，３，４，５が設けられている。
【００１９】
吹抜け部２は、建物本体１の略中央部から東側の外壁１ａ側に向けて延びている。また、吹抜け部２には、図２および図８に示すように、上下に透光性および／または通風性を有する第１床部６が１階と２階の境界部に設けられている。
第１床部６としては、透光性を有するガラス板や、透光性および通風性を有するグレーチング板が使用されている。ガラス板を使用する場合、框材によって形成された矩形枠にガラス板をはめ込まれる。グレーチング板は、格子状に孔が多数設けられた板状部材であり、このグレーチング板は床部材として直接使用される。
【００２０】
また、吹抜け部２に面する外壁１ａには、図１、図２、図７に示すように、縦長の窓７ａが１階に、窓７ｂが２階に、外壁１ａより若干窪んだ位置に設けられている。つまり、外壁１ａの左右方向略中央部は窪んで形成されており、この窪んだ外壁に窓７ａ，７ｂが設けられている。窓７ａ，７ｂは嵌め殺しの窓であるが、開閉可能な窓としてもよい。
吹抜け部２は、図８に示すように、１階の東側の廊下の床面から屋根の棟部直下まで吹き抜けており、この吹抜け部２の上端部は、切妻屋根の一方の屋根８ａ側に直角に曲がって、さらに、屋根８ａ側に向けて曲がっている。屋根８ａには天窓９が開閉可能にかつ吹抜け部２と連通して設けられている。
【００２１】
なお、切妻屋根の他方の屋根８ｂには、図４に示すように、太陽電池パネルが設けられている。この屋根８ｂは南側に向いており、棟部から軒先部までの長さが、一方の屋根８ａの棟部から軒先部までの長さより長くなっている。また、太陽電池パネルと屋根８ａとの間には、空気層が設けられており、太陽熱で暖められた空気層の空気を図示しないファンによって、上下に配置された温風ダクト８ｃによって１階の床下に搬送し、基礎部分に蓄熱し自然エネルギー活用の床暖房としている。温風ダクト８ｃは、前記吹抜け部４を通して屋根の棟部から床下まで設けられている。
【００２２】
建物本体１の平面視略中央部には、図２および図９に示すように、第２床部１０が前記第１床部６に隣接し、かつ当該第１床部６と面一に設けられている。この第２床部１０は床パネルによって構成されており、２階の階段ホールの床を構成している。この第２床部１０は構造材であり、周囲の壁に連結されている。
【００２３】
吹抜け部３は、建物本体１の略中央部にある第２床部１０から西側の外壁１ｂ側に向けて延びている。また、吹抜け部３には、図２および図１０に示すように、上下に透光性および／または通風性を有する第１床部１１が１階と２階の境界部に設けられている。第１床部１１は第２床部１０に隣接し、かつ当該第２床部１０と面一に設けられている。
また、吹抜け部３に面する外壁１ｂには、図１、図２、図６に示すように、縦長の窓１２ａが１階に、窓１２ｂが２階に外壁１ｂより若干窪んだ位置に設けられている。窓１２ａ，１２ｂは嵌め殺しの窓であるが、開閉可能な窓としてもよい。
吹抜け部３は、図１０に示すように、１階の西側の廊下の床面から屋根の棟部直下まで吹き抜けており、この吹抜け部３の上端部は、切妻屋根の一方の屋根８ａ側に直角に曲がって、さらに、屋根８ａ側に向けて曲がっている。屋根８ａには天窓１３が開閉可能にかつ吹抜け部３と連通して設けられている。
【００２４】
吹抜け部４は、建物本体１の略中央部にある第２床部１０から南側の外壁１ｃ側に向けて延びている。
また、吹抜け部４に面する外壁１ｃには、図１、図２、図４に示すように、縦長の窓１４ａが１階に、窓１４ｂが２階に設けられている。窓１４ａ，１４ｂは開閉可能な窓である。
吹抜け部４は、図９に示すように、１階のダイニング１５の床面から２階の天井まで吹き抜けており、この吹抜け部３の上端部に面する天井には、シーリングファン１６が取り付けられている。
【００２５】
吹抜け部５は、建物本体１の略中央部にある第２床部１０から北側の外壁１ｄ側に向けて延びている。
また、吹抜け部５に面する外壁１ｄには、図１、図２、図５に示すように、窓１７ａが１階に、窓１７ｂ，１７ｃが２階に設けられている。窓１７ａ，１７ｂ，１７ｃは開閉可能な窓であり、これら窓１７ａ，１７ｂ，１７ｃが設けられた外壁１ｄは左右の外壁に対して突出している。
吹抜け部５は、図９に示すように、階段室の床面から屋根８ａの直下まで吹き抜けており、この吹抜け部５の上端部は屋根８ａに設けられた天窓１８に連通している。
この吹抜け部５には階段２０が設けられている。階段２０は、１階の階段ホールの床とスキップ床２１との間に設けられた第１階段２０ａと、スキップ床２１と２階の階段ホールの床を構成する前記第２床部１０との間に設けられた第２階段２０ｂと、第２床部１０とスキップ床２２との間に設けられた第３階段２０ｃとによって構成されている。
【００２６】
スキップ床２１は１階の高さの略半分の高さ位置に設けられており、このスキップ床２１と１階の床との間は、図８に示すように、１階床下収納２３となっている。この１階床下収納２３の天井高は０．９〜１．４ｍ程度である。
スキップ床２２は２階の高さの略半分の高さ位置に設けられており、このスキップ床２２とスキップ床２１との間には、図８および図９に示すように、畳が敷設された畳室２４と踊り場２５とが設けられている。また、スキップ床２２と２階床と間には、図１０に示すように、２階床下収納２６が設けられている。この２階床下収納２６の天井高は０．９〜１．４ｍ程度である。
前記１階床下収納２３は、図１および図８に示すように、建物本体１の北東の角部に設けられており、この１階床下収納２３上に、図２および図８に示すように、畳室２４が設けられている。この畳室２４上に、図３および図８に示すように、子供室２７が設けられている。
【００２７】
また、前記２階床下収納２６は、図２に示すように、建物本体１の北西の角部に設けられており、この２階床下収納２６の下に、図１および図１０に示すように、玄関２８が設けられ、２階床下収納２６上に、図３および図１０に示すように、書斎２９が設けられている。また、図２に示すように、２階床下収納２６に隣接してクローゼット３０が設けられている。このクローゼット３０の天井は書斎２９の天井と等しい高さとなっている。クローゼット３０の上部は屋根８ａまで吹き抜けており、この屋根８ａには、図５に示すように、天窓３５が開閉可能に設けられている。
また、建物本体１の１階の南西の角部には、図１および図１０に示すように、リビング３１が設けられており、このリビング３１上に主寝室となる２階の部屋３２が設けられている。建物本体１の南東の角部には、図１および図８に示すように、キッチン３３が設けられており、このキッチン３３上に浴室および洗面室となる２階の部屋３４が設けられている。
【００２８】
また、図２に示すように、前記第１床部１１で構成された廊下と部屋３２とを仕切る壁には、戸３２ａが設けられており、この戸３２ａを開けることで、寝室３２を廊下に向けて大きく開放できるようになっている。また、第１床部６で構成された廊下と部屋３４とを仕切る壁には、戸３４ａが設けられており、この戸３４ａを開けることで、部屋３４を廊下に向けて開放できるようになっている。
【００２９】
建物本体１の南側の外壁１ｃには、前記部屋３２に隣接してバルコニー３６が設けられている。このバルコニー３６の先端部には、左右方向にスライド可能な複数毎のガラリ戸３７が設けられている。ガラリ戸３７は矩形枠内に複数の横材を上下に所定間隔で平行に取り付けてなるものであり、光や風（空気）を通すことができるようになっている。また、ガラリ戸３７は前記吹き抜け部４が面する外壁１ｃの前にも設けられている。そして、このガラリ戸３７と吹き抜け部４が面する外壁１ｃとの間に、屋外吹抜け部３８が設けられている。
さらに、建物本体１の南東の角部には、バルコニー構成体４０が設けられている。このバルコニー構成体４０の内部は蓄熱土間４１となっており、上面が２階のバルコニー４２の床面を構成している。このバルコニー４２は２階の部屋３４に隣接して設けられている。
【００３０】
上記構成の建物では、図１１に示すように、吹抜け部４に面する外壁１ｃに設けられた窓１４ａ，１４ｂや吹抜け部５に面する外壁１ｄに設けられた窓１７ａ，１７ｂ，１７ｃに入った風（空気）や光は、第１床部６，１１や階段２０を通って上下に行き渡るとともに横方向にも行き渡る。
また、吹抜け部２に面する外壁１ａに設けられた窓７ａ，７ｂや吹抜け部３に面する外壁１ｂに設けられた窓１２ａ，１２ｂに入った光は、第１床部６や階段２０を通って上下に行き渡るとともに横方向にも行き渡る。
したがって、光や空気を上下階に亙って、かつ、建物本体１の中央部から外壁１ａ〜１ｄに至るまで行き渡らせることができるので、建物内部全体の採光や通風を容易に確保することができる。
【００３１】
また、建物本体１の屋根８ａには、天窓９，１３，１８が吹抜け部２，３，５と連通して設けられているので、窓１４ａ，１４ｂ，１７ａ，１７ｂ，１７ｃから吹抜け部２，３，５に入った風（空気）を天窓９，１３，１８から抜くことができ、よって、建物本体１内の空気の流通性が良好となる。また、天窓９，１３，１８から入ってきた光を吹抜け部２，３，５に導入することができるので、建物本体１内の採光性がさらに良好となる。
また、吹抜け部４には、階段２０や第１床部６が設けられていないので、この吹抜け部４によって、採光や通風をより確実に確保できる。
さらに、建物本体１の平面視略中央部に、第２床部１０が第１床部６，１１に隣接し、かつ、当該第１床部６，１１と面一に設けられているので、建物本体１の平面視略中央部から外壁側に向けて延びる吹抜け部２〜５があっても、建物本体１の構造的安定性が高まる。
加えて、第１床部６，１１は廊下の床部を構成しており、この廊下と、当該廊下に隣接する部屋３２，３４との間を仕切る壁に戸３２ａ，３４ａが設けられているので、吹抜け部２〜５に面する外壁１ａ〜１ｃに設けられた窓７ａ，７ｂ，１２ａ，１２ｂ，１４ａ，１４ｂ，１７ａ，１７ｂ，１７ｃから吹抜け部２〜５に入った風（空気）や光を、戸を開くことによって、廊下に隣接する部屋３２，３４に導入することができる。
【符号の説明】
【００３２】
１  建物本体
１ａ〜１ｄ  外壁
２〜５  吹抜け部
６，１１  第１床部
７ａ，７ｂ，１２ａ，１２ｂ，１４ａ，１４ｂ，１７ａ，１７ｂ，１７ｃ  窓
８ａ  屋根
９，１３，１８  天窓
１０  第２床部
２０  階段
３２，３４  部屋
３２ａ，３４ａ  戸
【図１】
0005791883.tif 000002
【図２】
0005791883.tif 000003
【図３】
0005791883.tif 000004
【図４】
0005791883.tif 000005
【図５】
0005791883.tif 000006
【図６】
0005791883.tif 000007
【図７】
0005791883.tif 000008
【図８】
0005791883.tif 000009
【図９】
0005791883.tif 000010
【図１０】
0005791883.tif 000011
【図１１】
0005791883.tif 000012